(57)【要約】【課題】乗りかご用ガイドレールの背面側への突出距離の削減を図ったロープ取付構造を備えたエレベータを提供する。【解決手段】乗りかご１及び釣り合いおもり２を懸架するロープ４の端部を固定するためのロープ取付装置７が乗りかご用ガイドレール１１から側方に突出するように乗りかご用ガイドレール１１の背面に取り付けられた支持部材１０の先端部に片持ち支持された状態で取り付けられている。支持部材１０は突出方向と直交する方向の縦断面形状が縦長の矩形状の平板により構成されている。【選択図】      図３
2004161449.tif 000002
【特許請求の範囲】
【請求項１】
昇降路内を乗りかご用ガイドレールに沿って昇降する乗りかごと、昇降路内を釣り合いおもり用ガイドレールに沿って昇降する釣り合いおもりと、前記乗りかご及び前記釣り合いおもりを懸架するロープと、前記乗りかご用ガイドレールの側方に所定距離離れた位置に配置され前記ロープの端部を固定するためのロープ取付装置と、前記乗りかご用ガイドレールから側方に突出するように前記乗りかご用ガイドレールの背面に取り付けられ先端部に前記ロープ取付装置が片持ち支持された状態で取り付けられる支持部材とを具備し、前記支持部材は、突出方向と直交する方向の縦断面形状が矩形状の平板であることを特徴とするエレベータ。
【請求項２】
前記ロープ取付装置は、前記支持部材の上面に片持ち支持された状態で取り付けられるロープ取付板を備えており、このロープ取付板の下面と前記支持部材の一方の側面との間にまたがるようにリブ状の補強材が取り付けられたことを特徴とする請求項１記載のエレベータ。
【請求項３】
昇降路内を乗りかご用ガイドレールに沿って昇降する乗りかごと、昇降路内を釣り合いおもり用ガイドレールに沿って昇降する釣り合いおもりと、前記乗りかご及び前記釣り合いおもりを懸架するロープと、前記乗りかご用ガイドレールの側方に所定距離離れた位置に配置され前記ロープの端部を固定するためのロープ取付装置と、前記乗りかご用ガイドレールから側方に突出するように前記乗りかご用ガイドレールの背面に取り付けられ先端部に前記ロープ取付装置が片持ち支持された状態で取り付けられる支持部材とを具備し、前記支持部材は、突出方向と直交する方向の縦断面形状が逆三角形状又は逆台形状で、前記乗りかご用ガイドレールに対向する一方の側面が垂直であると共に他方の側面が下方に向かって前記乗りかご用ガイドレール側に傾斜していることを特徴とするエレベータ。
【請求項４】
前記乗りかご用ガイドレールと前記支持部材の間に前記乗りかご用ガイドレールを補強するためのレール補強部材が着脱自在に取り付けられたことを特徴とする請求項１〜請求項３のいずれかに記載のエレベータ。
【請求項５】
前記ロープ取付装置が前記支持部材に対して突出方向と平行な方向に移動可能に取り付けられたことを特徴とする請求項１〜請求項４のいずれかに記載のエレベータ。
【発明の詳細な説明】
【０００１】
【発明の属する技術分野】
本発明は、乗りかごを昇降駆動するためのロープの端部を乗りかご用ガイドレールから側方に離れた位置の固定するためのロープ取付装置を備えたエレベータに関する。
【０００２】
【従来の技術】
図９は２：１ローピング方式のトラクションシーブ式エレベータシステムの全体構成を示す概略図である。乗りかご１０１の上部には乗りかごシーブ１０２が設けられており、この乗りかごシーブ１０２に掛け渡されたロープ１０３によって乗りかご１０１が懸架されている。乗りかごシーブ１０２に掛け渡されたロープ１０３は、さらに、駆動装置１０４に掛け渡され、そらせ車を通った後、釣り合いおもり１０５上部に設けられた釣り合いおもりシーブ１０６に掛け渡される。そして、ロープ１０３の両端部はロープ取付装置１０７により機械室又は昇降路内に固定される。
【０００３】
従来、機械室のないエレベータで、ロープ取付装置が乗りかご用ガイドレールに取り付けられる場合において、ロープの吊り位置が乗りかご用ガイドレールから側方に離れた位置にあるときには、例えば図１０及び図１１に示すような構造が採用されていた。図１０は従来のエレベータの要部の平面図、図１１は要部の側面図である。
【０００４】
これらの図において、１０８はロープ取付装置であり、ロープ取付板１０９と、これにロープ１０３の端部を固定するためのシャックルロッド１１０とを備えている。乗りかご用ガイドレール１１１の背面には、鋼等により形成された断面Ｃ字形の支持部材１１２が側方に向けて突出するように取り付けられており、その先端部上面には、ロープ取付板１０９が、乗りかご用ガイドレール１１１の背面側と反対側に突出するように片持ち支持された状態で取り付けられているている（特許文献１参照）。
【０００５】
【特許文献１】
特開２０００−８６１１４号公報
【０００６】
【発明が解決しようとする課題】
しかしながら、このような支持部材１１２を用いると、乗りかご用ガイドレール１０９の背面側への突出距離（＝ｗ’）が大きくなるという問題点がある。
【０００７】
本発明は上記問題点に鑑みてなされたものであり、乗りかご用ガイドレールの背面側への突出距離の削減を図ったロープ取付構造を備えたエレベータを提供することにある。
【０００８】
【課題を解決するための手段】
上記目的を達成するために、第１の発明は、昇降路内を乗りかご用ガイドレールに沿って昇降する乗りかごと、昇降路内を釣り合いおもり用ガイドレールに沿って昇降する釣り合いおもりと、前記乗りかご及び前記釣り合いおもりを懸架するロープと、前記乗りかご用ガイドレールの側方に所定距離離れた位置に配置され前記ロープの端部を固定するためのロープ取付装置と、前記乗りかご用ガイドレールから側方に突出するように前記乗りかご用ガイドレールの背面に取り付けられ先端部に前記ロープ取付装置が片持ち支持された状態で取り付けられる支持部材とを具備し、前記支持部材は、突出方向と直交する方向の縦断面形状が矩形状の平板であることを特徴とするエレベータである。
【０００９】
また、第２の発明は、昇降路内を乗りかご用ガイドレールに沿って昇降する乗りかごと、昇降路内を釣り合いおもり用ガイドレールに沿って昇降する釣り合いおもりと、前記乗りかご及び前記釣り合いおもりを懸架するロープと、前記乗りかご用ガイドレールの側方に所定距離離れた位置に配置され前記ロープの端部を固定するためのロープ取付装置と、前記乗りかご用ガイドレールから側方に突出するように前記乗りかご用ガイドレールの背面に取り付けられ先端部に前記ロープ取付装置が片持ち支持された状態で取り付けられる支持部材とを具備し、前記支持部材は、突出方向と直交する方向の縦断面形状が逆三角形状又は逆台形状で、前記乗りかご用ガイドレールに対向する一方の側面が垂直であると共に他方の側面が下方に向かって前記乗りかご用ガイドレール側に傾斜していることを特徴とするエレベータである。
【００１０】
【発明の実施の形態】
以下、本発明の一実施形態を図面と共に詳述する。図１は本実施形態のエレベータの全体構成を示す概略図、図２は第１の実施形態の要部の平面図、図３は第１の実施形態の要部の側面図である。
【００１１】
図１に示すように、昇降路内には、乗りかご用ガイドレールに沿って昇降する乗りかご１と、釣り合いおもり用ガイドレールに沿って昇降する釣り合いおもり２とが設けられている。乗りかご１の上部には乗りかごシーブ３が設けられており、乗りかごシーブ３に掛け渡されたロープ４によって乗りかご１が吊されている。乗りかごシーブ３に掛け渡されたロープ４は、さらに、駆動装置５に掛け渡され、そらせ車を通った後、釣り合いおもり２上部に設けられた釣り合いおもりシーブ６に掛け渡される。そして、ロープ４の両端部はロープ取付装置７により昇降路内に固定される。
【００１２】
図２、図３において、ロープ取付装置７は、ロープ取付板８と、これにロープ４の端部を固定するためのシャックルロッド９とを備えている。１０はロープ取付装置７を乗りかご用ガイドレール１１に固定するための支持部材である。この支持部材１０は鋼等により形成された平板状のもので、一方の側面１０ａが乗りかご用ガイドレール１１の背面に溶接や締結部材等によって固定され、乗りかご用ガイドレール１１の側方に向けて突出した状態となっている。
【００１３】
支持部材１０は突出方向と直交する方向の縦断面形状が縦長の矩形状となっている。支持部材１０の先端部上面には、ロープ取付板８が、溶接や締結部材等によって、乗りかご用ガイドレール１１の方向へ突出するように片持ち支持された状態で取り付けられている。
【００１４】
支持部材１０に作用する力を、図１１に示す従来の断面Ｃ字形の支持部材１１２に作用する力と比較する。なお、支持部材１０の高さをｈ、厚みをｔとし、支持部材１１２の幅をｗ’、高さをｈ’、厚みをｔ’とする。
【００１５】
ロープ４にかかる力を２００００Ｎとし、支持部材１０の高さｈを３００ｍｍ、厚みｔを２０ｍｍ、支持部材１１２の幅ｗ’を１００ｍｍ、高さｈ’を２９１ｍｍ、厚みｔ’を９ｍｍとして、支持部材１０、１１２の長手方向に延びる中心線まわりのねじり応力をサブンナンのねじりとして計算する。
【００１６】
最初に、従来の支持部材１１２について計算する。まず、剪断中心位置ｅ’は、ｅ’＝｛３×（ｗ’−ｔ’／２）２×ｔ’｝／｛６×ｔ’×（ｗ’−ｔ’／２）＋ｔ’×（ｈ’−ｔ’／２）｝＝３１．５ｍｍ、次に、剪断中心位置にかかるモーメントＭ’は、Ｍ’＝２００００×（６０−ｅ）＝５７００００Ｎ・ｍｍ、そして剪断応力Ｊ’は、Ｊ’＝｛ｈ’×ｔ’３＋２×（ｗ’−ｔ’／２）×ｔ’３｝／３＝２５８５５２ｍｍ４、ねじりによる剪断応力τ’は、τ’＝ｔ’×Ｍ’／Ｊ’＝２０Ｎ／ｍｍ２とする。
【００１７】
次に、本実施形態の支持部材１０について、ねじりによる剪断応力の計算を行う。剪断中心位置ｅ＝ｔ／２＝１０ｍｍ、剪断応力τ＝Ｍ／｛０．３１３×ｈ×ｔ２｝＝１５Ｎ／ｍｍ２とする。
【００１８】
すなわち、断面Ｃ字形の支持部材１１２の代わりに平板状の支持部材１０を用いることにより、乗りかご用ガイドレール１１の背面側への突出距離を小さくして、且つねじりに対する所要の強度を持たせることができるものである。また、ロープ取付板８と乗りかご用ガイドレール１１との間に縦枠等を通す空間を確保し易いという利点が有る。
【００１９】
次に、本発明の第２の実施形態を説明する。図４は第２の実施形態の要部の平面図、図５は第２の実施形態の要部の側面図である。なお、以下の各実施形態において、それ以前に説明した実施形態と対応する部分には同一の符号を付してあり、重複する説明は省略してある。
【００２０】
本実施形態では、ロープ取付板８の下面と支持部材１０の一方の側面１０ａとの間にまたがるように取り付けられた一対のリブ状の補強材１２を備えている。この補強材１２は鋼等の剛性の高い材料で形成された三角形の板状のもので、溶接等によりロープ取付板８及び支持部材１０に固定される。
【００２１】
このようにすることで、ロープ取付板８を片持ち状態よりも安定した状態で支持することができるため、信頼性及び安全性が向上する。
【００２２】
次に、本発明の第３の実施形態を説明する。図６は第３の実施形態の要部の側面図である。
【００２３】
本実施形態では、支持部材１０は、その突出方向と直交する方向の縦断面形状が逆三角形状で、乗りかご用ガイドレール１１と対向する一方の側面１０ａが垂直であると共に他方の側面１０ｂが下方に向かって乗りかご用ガイドレール１１側に傾斜している。
【００２４】
このような構成によれば、上記従来のものに比べると、支持部材１０の下部において、乗りかご用ガイドレール１１の背面側への突出距離を小さくすることができる。また、支持部材１０を、その突出方向と直交する方向の縦断面形状が逆台形状で、一方の側面が垂直であると共に他方の側面が下方に向かって乗りかご用ガイドレール１１側に傾斜したものとしても、同様の効果を得ることができる。
【００２５】
次に、本発明の第４の実施形態を説明する。図７は第４の実施形態の要部の平面図である。
【００２６】
本実施形態においては、乗りかご用ガイドレール１１と支持部材１０の間に乗りかご用ガイドレールを補強するためのレール補強部材１３が着脱自在に取り付けられている。このレール補強部材１３は、鋼等の剛性の高い材料から成り、乗りかご用ガイドレール１１を受け入れるように断面Ｕの字形に形成され、ボルト、ナット等の締結部材を介して乗りかご用ガイドレール１１と共に支持部材１０に対して着脱自在に固定されている。
【００２７】
このようなレール補強部材１３を必要に応じて取り付けることで、乗りかご用ガイドレール１１の断面係数を大きくして強度を大きくすることができるので、信頼性及び安全性が向上する。
【００２８】
次に、本発明の第５の実施形態を説明する。図８は第５の実施形態の要部の平面図である。
【００２９】
本実施形態では、ロープ取付板８における支持部材１０側の端部に、支持部材１０の突出方向に間隔をおいて、一対の長孔１４が形成されている。これらの長孔１４は、ロープ取付板８を貫通し、支持部材１０の突出方向に延びている。また、支持部材１０の先端部の上面には、これらの長孔１４の間隔と等しい間隔をおいてネジ孔（図示せず）が形成されている。これらのネジ孔には、長孔１４の幅よりもわずかに小さい径のボルト（図示せず）が螺合するようになっており、これらのボルトによりロープ取付板８が支持部材１０に対して固定される。
【００３０】
このような構成によれば、ロープ取付板８の位置を支持部材１０の突出方向と平行な方向に変更することができるため、ロープ取り付け位置の調整ができる。
【００３１】
【発明の効果】
以上のように、本発明によれば、ロープ取付装置を乗りかご用ガイドレールに対して取り付けるための支持部材の乗りかご用ガイドレールの背面側への突出距離を削減することができる。
【図面の簡単な説明】
【図１】実施形態のエレベータの全体構成を示す概略図。
【図２】第１の実施形態の要部の平面図。
【図３】第１の実施形態の要部の側面図。
【図４】第２の実施形態の要部の平面図。
【図５】第２の実施形態の要部の側面図。
【図６】第３の実施形態の要部の側面図。
【図７】第４の実施形態の要部の平面図。
【図８】第５の実施形態の要部の平面図。
【図９】２：１ローピング方式のトラクションシーブ式エレベータシステムの全体構成を示す概略図。
【図１０】従来技術の要部の平面図。
【図１１】従来技術の要部の側面図。
【符号の説明】
１  乗りかご
２  釣り合いおもり
４  ロープ
７  ロープ取付装置
１０  支持部材
【図１】
2004161449.tif 000003
【図２】
2004161449.tif 000004
【図３】
2004161449.tif 000005
【図４】
2004161449.tif 000006
【図５】
2004161449.tif 000007
【図６】
2004161449.tif 000008
【図７】
2004161449.tif 000009
【図８】
2004161449.tif 000010
【図９】
2004161449.tif 000011
【図１０】
2004161449.tif 000012
【図１１】
2004161449.tif 000013